(57)【特許請求の範囲】
【請求項１】
階段の桁構造を構成する桁部材であって、踏板を支持する踏板支持板を上端に有する踏板支持部材と、上段側の踏板支持部材と下段側の踏板支持部材とを高さ調整可能および前後調整可能に連結する連結部材とを有してなり、
踏板支持部材と連結部材の一方の部材が筒状部を有すると共に他方の部材が該筒状部に高さ方向にスライド可能に嵌合される軸部を有することにより、連結部材と踏板支持部材とが高さ調整可能に連結され、
前記軸部を有する他方部材には横方向に突出し且つ軸方向に延長する突片が設けられると共に、前記筒状部を有する一方部材には軸方向に延長するスリットを挟んでその両側に前記突片を挟持可能な一対の平行突片が設けられ、前記突片と前記平行突片の両方に締結部材挿通穴が形成され、その一方が締結部材の軸径に略等しい内径の丸穴として形成されると共に他方が締結部材の軸径より大きい幅寸法を有する横長穴として形成され、これら丸穴および横長穴に挿通させた締結部材を介して連結部材と踏板支持部材とが前後調整可能に連結されることを特徴とする桁部材。
【請求項２】
さらに、最下段の踏板を支持する踏板支持部材を下階の床面に固定する床面固定部材と、最上段の踏板を支持する踏板支持部材を壁面に固定する壁面固定部材とを有することを特徴とする、請求項１記載の桁部材。
【請求項３】
請求項１または２記載の桁部材を用いて構成される桁構造。
【発明の詳細な説明】
【技術分野】
【０００１】
本発明は、階段の桁部材および桁構造に関する。
【背景技術】
【０００２】
階段の踏板を幅方向両側に配置した側桁（ささら桁）で支持することに代えて、幅方向中央に一つまたは幅方向に間隔をおいて二つ（またはそれ以上）の支持桁を配置して、その上に踏板を載置固定する階段構造（オープン階段）が、下記特許文献１，２などに開示されている。
【０００３】
特許文献１に記載される階段は、踏板６とその支持部材１とからなり、支持部材１は踏板載置部１ａ、水平部材２、前側連結部３および後側連結部４を有し、前側連結部３は下段の支持部材１の後側連結部４に連結される。
【０００４】
特許文献２に記載される階段用踏板支持桁は、踏板取付部１ａ，２ａ，３ａと第１部材４、第２部材５からなる支持ユニット１，２，３を有し、第１部材４と第２部材５が連結されて一連の桁となる。
【先行技術文献】
【特許文献】
【０００５】
【特許文献１】特開２００３−２１３８６６号公報
【特許文献２】特開平５−３４００４９号公報
【発明の概要】
【発明が解決しようとする課題】
【０００６】
しかしながら、特許文献１，２記載の従来技術による階段構造ないし桁構造では、隣接する踏板間の前後方向および高さ方向の位置調整を行う手段が示されていない。このため、異なる幅の踏板を載置する場合や、各部材の寸法精度が悪い場合などに対応することが困難である。
【０００７】
すなわち、特許文献１では、上段側の踏板６を支持する前側連結部３の下方に下段側の踏板６を支持する後側連結部４を外嵌させた状態で後側連結部４の下端からボルト５を挿入して踏板裏面の雌ネジ部６ａに螺合させて踏板６を固定する構造である（図３）ので、ボルト５の長さによって上下段の踏板６，６間の高さが固定され、調整することができない。また、前後方向の間隔は、前側連結部３と後側連結部４とを水平方向（前後方向）に連結する水平部材２の長さによって一定となるので、これも調整することができない。
【０００８】
特許文献２でも、踏板間の高さ間隔および前後間隔は、支持ユニット１，２，３を構成する各部材の寸法によって一律に定められることになるので、調整不能である。
【０００９】
したがって、本発明が解決しようとする課題は、隣接する踏板間の前後方向および高さ方向の調整を可能にした桁部材および桁構造を提供することにより、異なる幅の踏板を用いる場合であってもこれに対応した施工が容易であり、また、各部材の寸法精度が良くない場合にも容易に対応することができるようにすることである。
【課題を解決するための手段】
【００１０】
この課題を解決するため、本願の請求項１に係る発明は、階段の桁構造を構成する桁部材であって、踏板を支持する踏板支持板を上端に有する踏板支持部材と、上段側の踏板支持部材と下段側の踏板支持部材とを高さ調整可能および前後調整可能に連結する連結部材とを有してなり、踏板支持部材と連結部材の一方の部材が筒状部を有すると共に他方の部材が該筒状部に高さ方向にスライド可能に嵌合される軸部を有することにより、連結部材と踏板支持部材とが高さ調整可能に連結され、前記軸部を有する他方部材には横方向に突出し且つ軸方向に延長する突片が設けられると共に、前記筒状部を有する一方部材には軸方向に延長するスリットを挟んでその両側に前記突片を挟持可能な一対の平行突片が設けられ、前記突片と前記平行突片の両方に締結部材挿通穴が形成され、その一方が締結部材の軸径に略等しい内径の丸穴として形成されると共に他方が締結部材の軸径より大きい幅寸法を有する横長穴として形成され、これら丸穴および横長穴に挿通させた締結部材を介して連結部材と踏板支持部材とが前後調整可能に連結されることを特徴とする。
【００１６】
本願の請求項２に係る発明は、請求項１記載の桁部材において、さらに、最下段の踏板を支持する踏板支持部材を下階の床面に固定する床面固定部材と、最上段の踏板を支持する踏板支持部材を壁面に固定する壁面固定部材とを有することを特徴とする。
【００１７】
本願の請求項３に係る発明は、請求項１または２記載の桁部材を用いて構成される桁構造である。
【発明の効果】
【００１８】
請求項１に係る発明によれば、隣接する踏板支持部材同士が連結部材を介して前後方向および高さ方向に位置調整可能であることから、異なる幅の踏板を用いる場合であってもそれに対応した施工が容易であり、また、各部材の寸法精度が良くない場合にも容易に対応することができる。
【００２１】
また、連結部材と踏板支持部材とが丸穴と長穴にネジを挿通させて締着することによって連結されるので、前後調整が容易である。
【００２２】
また、板状突片が平行突片間に挟持された状態でボルトで締着されることによって連結部材と踏板支持部材とが連結されるので、強固な連結構造が得られる。
【００２３】
また、連結部材と踏板支持部材とを連結する際に、ボルトを締め付けていくことにより、筒状部が縮径して踏板支持部材に対する連結強度を高めることができるので、さらに強固な連結構造が得られる。
【００２４】
請求項２に係る発明によれば、床面固定部材を用いて最下段の踏板支持部材を下階の床面に固定すると共に、壁面固定部材を用いて最上段の踏板支持部材を壁面に固定することができるので、これら桁部材を用いて桁構造を容易に施工することができる。
【００２５】
請求項３に係る発明によれば、これら桁部材を用いて施工される桁構造が得られる。この桁構造によれば、隣接する踏板支持部材同士が連結部材を介して前後方向および高さ方向に位置調整可能であることから、異なる幅の踏板を用いる場合であってもそれに対応した施工が容易であり、また、各部材の寸法精度が良くない場合にも容易に対応することができる。
【図面の簡単な説明】
【００２６】
【図１】本発明の一実施形態（実施例１）による桁部材および桁構造を有する階段構造の側面図である。
【図２】この階段構造を桁構造構成部材（桁部材）ごとに分割して示す側面図である。
【図３】この階段構造に用いる踏板支持部材を単独で示す側面図（ａ），正面図（ｂ），背面図（ｃ），平面図（ｄ）および底面図（ｅ）である。
【図４】この階段構造の最下段の踏板を支持する踏板支持部材を単独で示す側面図（ａ），正面図（ｂ），背面図（ｃ），平面図（ｄ）および底面図（ｅ）である。
【図５】この階段構造に用いる連結部材を単独で示す側面図（ａ），正面図（ｂ），背面図（ｃ），平面図（ｄ）および底面図（ｅ）である。
【図６】この階段構造に用いる床面固定部材を単独で示す側面図（ａ），正面図（ｂ），背面図（ｃ），平面図（ｄ）および底面図（ｅ）である。
【図７】この階段構造に用いる壁面固定部材を単独で示す側面図（ａ），正面図（ｂ），背面図（ｃ），平面図（ｄ）および底面図（ｅ）である。
【図８】この階段構造における踏板支持部材と上下桁連結部材の連結状態を示す側面図（ａ）、平面図（ｂ）および底面図（ｃ）である。
【図９】本発明の他実施形態（実施例２）による桁部材および桁構造を有する階段構造の側面図である。
【図１０】この階段構造を桁構成部材（桁部材）ごとに分割して示す側面図である。
【図１１】この階段構造に用いる踏板支持部材を単独で示す側面図（ａ），正面図（ｂ），背面図（ｃ），平面図（ｄ）および底面図（ｅ）である。
【図１２】この階段構造に用いる上下桁連結部材を単独で示す側面図（ａ），正面図（ｂ），背面図（ｃ），平面図（ｄ）および底面図（ｅ）である。
【図１３】この階段構造に用いる床面固定部材を単独で示す側面図（ａ），正面図（ｂ），背面図（ｃ），平面図（ｄ）および底面図（ｅ）である。
【図１４】この階段構造に用いる壁面固定部材を単独で示す側面図（ａ），正面図（ｂ），背面図（ｃ），平面図（ｄ）および底面図（ｅ）である。
【図１５】この階段構造における踏板支持部材と上下桁連結部材の連結状態を示す側面図（ａ）、平面図（ｂ）および底面図（ｃ）である。
【図１６】本発明（実施例１）による階段構造を廻り階段に適用した実施形態を示す平面図である。
【図１７】この階段構造における踏板支持部材と上下桁連結部材の連結において幅調整可能であることを示す各平面図である。
【発明を実施するための最良の形態】
【００２７】
以下に実施例を挙げて本発明について詳述する。
【実施例１】
【００２８】
図１は本発明の一実施形態（実施例１）による階段構造１０の側面図であり、図２はこの階段構造１０を桁構成部材ごとに分割して示す側面図である。この階段構造１０は、複数の踏板（簡略化のため３段の踏板１１ａ〜１１ｃが図示されている。特に区別する必要がないときはこれらを符号１１で総括する。）を支持する桁構造２０を有する。
【００２９】
桁構造２０は、各踏板を支持する踏板支持部材２１ａ〜２１ｃ（特に区別する必要がないときはこれらを符号２１で総括する。）と、隣接する踏板支持部材同士を前後方向および上下方向にそれぞれ所定間隔をおいて連結する連結部材２２ａ，２２ｂ（特に区別する必要がないときはこれらを符号２２で総括する。）と、最下段の踏板１１ａを支持する踏板支持部材２１ａを下階の床面１に固定する床面固定部材２３と、最上段の踏板１１ｃを支持する踏板支持部材２１ｃを壁面２に固定する壁面固定部材２４とを有する。
【００３０】
中段の踏板１１ｂおよび最上段の踏板１１ｃを支持する踏板支持部材２１ｂ，２１ｃは同一の構成を有する。すなわち、図３に示すように、これらの踏板支持部材２１は、上端に踏板固定板２５を有し且つ少なくとも下端側の所定長さ領域に亘って刻設形成された雄ネジ２６を有する円筒部２７と、この円筒部２７の上端部から一側方向に向けて突出する垂直板２８とを有して一体に形成されている。踏板固定板２５には、この上に載置させた踏板１１をネジ（図示せず）で固定するためのネジ穴２９が形成されている。また、垂直板２８には、ボルト挿通長穴３０が上下２箇所に平行に形成されている。
【００３１】
最下段の踏板１１ａを支持する踏板支持部材２１ａも、上述した踏板支持部材２１ｂ，２１ｃとほぼ同様の構成を有するが、下段側に踏板支持部材が存在せず、したがって、これと連結する連結部材に対する連結部を必要としないことから、図４に示すように、円筒部２７が短くなっている。また、踏板支持部材２１ａの下端には、床面固定部材２３と連結するための雌ネジ３１が形成されている。
【００３２】
連結部材２２（２２ａ，２２ｂ）は同一構成である。すなわち、図５に示すように、各連結部材２２は、少なくとも上端側の所定長さ領域に亘って刻設形成された雌ネジ３２を有する円筒部３３と、この円筒部３３から一側方向に突出する突片３４とを有して一体に形成されている。この実施形態では、円筒部３３の一部にスリット４５が形成され、このスリット４５に臨む両端から一対の片が互いの間に隙間をおいて一側方向に平行に突出する一対の片からなる平行突片３４として形成されている。円筒部３３は、踏板支持部材２１の円筒部２７の外径と略同一または若干大きい内径を有して円筒部２７を嵌合可能であり、且つ、この嵌合状態において円筒部２７の雄ネジ２６と円筒部３３の雌ネジ３２との螺合を介して、上段側の踏板支持部材２１に連結される。平行突片３４にはボルト挿通穴３５が上下２段に形成されており、突片３４の隙間に踏板支持部材２１の垂直板２８を挿入した状態で、ボルト３６（図１）を突片３４のボルト挿通穴３５および垂直板２８のボルト挿通長穴３０に通して反対側でナット（図示せず）に螺着することにより、下段側の踏板支持部材２１に連結される（図８）。
【００３３】
連結部材２２は、下段側の踏板を支持する踏板支持部材（たとえば踏板１１ｂを支持する踏板支持部材２１ｂ）と上段側の踏板を支持する踏板支持部材（たとえば踏板１１ｃを支持する踏板支持部材２１ｃ）とを上下方向および前後方向に間隔を調整して連結する。すなわち、既述したように、上段側の踏板支持部材２１ｃの円筒部２７をその下方の連結部材２２の円筒部３３に嵌合させた状態において、円筒部２７の雄ネジ２６と円筒部３３の雌ネジ３２との螺合を介して上下方向の間隔調整が可能であり、また、ボルト３６を挿通させる穴の一方（この実施形態では突片３４のボルト挿通穴３５）をボルト３６の軸径に略合致する内径を有する丸穴として形成すると共に、他方（この実施形態では垂直板２８のボルト挿通長穴３０）を横方向に長い長穴として形成することにより、前後方向の間隔調整が可能である。図１７（ａ）はこの実施形態において隣接する踏板支持部材２１同士の前後方向の間隔（したがって踏板同士の前後方向の間隔）を最小とした場合、（ｂ）は同間隔を中間にした場合、（ｃ）は同間隔を最大とした場合を示しており、ボルト３６の挿通位置を垂直板２８のボルト挿通長穴３０の範囲内で移動させることにより前後間隔調整を容易に行うことができる。
【００３４】
床面固定部材２３は、最下段踏板１１ａを支持する踏板支持部材２１ａ（図４）を高さ調整可能に下階の床面１に固定することができるものであれば特に構成が限定されるものではないが、この実施形態では、床面に固定される床面固定板３７と、その上方に垂立する円筒部３８とを有して一体に形成されており、円筒部３８にはその少なくとも上端側の所定長さ領域に亘って雄ネジ３９が形成されている。そして、床面固定板３７のネジ穴４０から下階の床面１にネジ（図示せず）を打ち込んで床面固定板３７を下階の床面１に固定した後に、踏板支持部材２１ａの円筒部２７に床面固定部材２３の円筒部３８を嵌合させた状態において、円筒部２７の雌ネジ３１と円筒部３８の雄ネジ３９とを螺合させることにより、最下段踏板支持部材２１ａ（したがってその上に支持される踏板１１ａ）を下階の床面１に対して所定の高さで固定することができる。なお、この実施例では、最下段踏板支持部材２１ａの円筒部２７に雌ネジ３１を形成して、これを床面固定部材２３の円筒部３８の雄ネジ３９に螺合させているが、他の踏板支持部材２１ｂ，２１ｃと同様に、最下段踏板支持部材２１ａの円筒部２７に雄ネジを形成し、これを床面固定部材２３の円筒部に形成した雌ネジに螺合させる実施形態を採用しても良い。
【００３５】
壁面固定部材２４は、最上段踏板１１ｃを支持する踏板支持部材２１ｃ（図３）を前後調整可能に壁面２に固定することができるものであれば特に構成が限定されるものではないが、この実施形態では、壁面に固定される壁面固定板４１と、その一面から突出する平行突片４２とを有して一体に形成されている。平行突片４２は、連結部材２２の平行突片３４と略同一構成であり、互いの間に所定の隙間をおいて平行に延長する一対の片からなり、これら片を通じてボルト挿通穴４３が上下２段に形成されている。そして、壁面固定板４１のネジ穴４３から壁面２にネジ（図示せず）を打ち込んで壁面固定板４１を壁面２に固定した後に、突片４２の隙間に最上段踏板支持部材２１ｃの垂直板２８を挿入した状態で、ボルト３６（図１）を突片４２のボルト挿通穴４３および垂直板２８のボルト挿通長穴３０に通して反対側でナット（図示せず）に螺着することにより、最上段踏板支持部材２１ｃを壁面２に固定することができる。
【００３６】
以上に説明した階段構造１０および桁構造２０の施工方法について説明する。床面固定板３７のネジ穴４０から下階の床面１にネジを打ち込んで床面固定部材２３を下階の床面１に固定した後、最下段踏板支持部材２１ａの円筒部２７に床面固定部材２３の円筒部３８を嵌合させた状態において、円筒部２７の雌ネジ３１と円筒部３８の雄ネジ３９とを螺合させることにより、最下段踏板支持部材２１ａを高さ調整して固定する。次いで、踏板１１ｂを支持する中段踏板支持部材２１ｂの円筒部２７を連結部材２２ａの円筒部３３に嵌合させて、雄ネジ２６と雌ネジ３２との螺合を介して、これらを高さ調整して連結させておく。そして、下階の床面１に固定された最下段踏板支持部材２１ａの垂直板２８を連結部材２２ａの平行突片３４の隙間に挿入させた状態で、ボルト３６を突片３４のボルト挿通穴３５および垂直板２８のボルト挿通長穴３０に通して反対側でナット（図示せず）に螺着することにより、ボルト挿通長穴３０の範囲内で前後調整して連結部材２２ａを最下段踏板支持部材２１ａに連結する。
【００３７】
この実施形態では、連結部材２２ａの円筒部３３にスリット４５が形成され、垂直板２８を突片３４の一対の片の間に挟み込んでボルト止めするので、ボルトを締め付けていくとスリット４５が閉じていき、雄ネジ２６と雌ネジ３２との螺合に加えて円筒部２７,３３同士の間に強固な嵌合状態が得られ、強度の大きい固定構造が得られる。なお、ボルト締付により円筒部３３が縮径していくときや、踏板支持部材２１と連結部材２２とが連結された後に円筒部３３に力が加わったときに、円筒部３３に歪みや捻じれなどが生ずることを防止するために、突片３４を構成する各片の上下端に所定幅で水平方向に延長するフランジ部３４ａ，３４ｂが形成されている（図５）。壁面固定部材２４についても、突片４２を構成する片同士の間の隙間に最上段踏板支持部材２１ｃの垂直板２８を挟み込んだ状態で最上段踏板支持部材２１ｃを固定する際にボルト締付により円筒部３３が縮径していくときや、踏板支持部材２１と連結部材２２とが連結された後に円筒部３３に力が加わったときに、壁面２に固定されている壁面固定板４１に歪みや曲りなどが生ずることを防止するために、同様に、突片４２を構成する各片の上下端に所定幅で水平方向に延長するフランジ部４２ａ，４２ｂが形成されている（図７）。
【００３８】
この作業を階段の段数分繰り返す。そして、最上段踏板支持部材２１ｃを壁面固定部材２４により壁面２に固定する。この作業は、既述したように、壁面固定板４１のネジ穴４４から壁面２にネジ（図示せず）を打ち込んで、上階の床面３との間の高さ調整を行いつつ、壁面固定部材２４を壁面２に固定した後、突片４２の隙間に最上段踏板支持部材２１ｃの垂直板２８を挿入した状態で、ボルト３６（図１）を突片４２のボルト挿通穴４３および垂直板２８のボルト挿通長穴３０に通して反対側でナット（図示せず）に螺着することにより、前後調整と共に行うことができる。このようにして桁部材２０を施工した後、各踏板支持部材２１に踏板１１を載置固定して、階段構造１０が得られる。
【００３９】
このような階段構造１０および桁構造２０は、直階段にも廻り階段にも適用可能である。図１６には廻り階段に適用した実施形態が示されている。上段側の踏板支持部材２１は、踏板支持部材２１の円筒部２７の雄ネジ２６と連結部材２２の円筒部３３の雌ネジ３２との螺合を介して、連結部材２２と連結されるので、上下に隣接する踏板支持部材２１同士を任意の回転角度で設置することが可能且つ容易である。なお、踏板固定板２５の前端角部が面取りされているのは、図１６に示すような廻り階段に適用する際に、廻り部を構成する踏板（図１６における踏板１１ｃ〜１１ｅ）を支持する踏板支持部材２１（図１６における踏板支持部材２１ｃ〜２１ｅ）の踏板固定板２５が該踏板の段鼻（前端面）を超えることがないようにするためである。
【実施例２】
【００４０】
図９は本発明の他実施形態（実施例２）による階段構造５０の側面図であり、図１０はこの階段構造５０を桁構成部材ごとに分割して示す側面図である。この階段構造５０は、複数の踏板（簡略化のため３段の踏板５１ａ〜５１ｃが図示されている。特に区別する必要がないときはこれらを符号５１で総括する。）を支持する桁構造６０を有する。
【００４１】
桁構造６０は、各踏板を支持する踏板支持部材６１ａ〜６１ｃ（特に区別する必要がないときはこれらを符号６１で総括する。）と、隣接する踏板支持部材同士を前後方向および上下方向にそれぞれ所定間隔をおいて連結する連結部材６２ａ〜６２ｃ（特に区別する必要がないときはこれらを符号６２で総括する。）と、最下段の踏板５１ａを支持する踏板支持部材６１ａを下階の床面１に固定する床面固定部材６３と、最上段の踏板５１ｃを支持する踏板支持部材６１ｃを壁面２に固定する壁面固定部材６４とを有する。
【００４２】
踏板支持部材６１（６１ａ〜６１ｃ）は略同一の構成を有する。すなわち、図１１に示すように、これらの踏板支持部材６１は、上端に踏板固定板６５を有し且つ少なくとも下端側の所定長さ領域（この実施形態では全軸長）に亘る雄ネジ６６を有する円筒部６７と、この円筒部６７の上端部から一側方向に向けて突出する平行突片６８とを有して一体に形成されている。円筒部６７には、平行突片６８間に挟み込んだ連結部材６２の垂直板７４の先端部が差し込まれるスリット８５が形成されている。スリット８５は、少なくとも垂直板７４の先端部を収容することができる範囲に亘って形成されるが、円筒部６７の上端から下端にまで延長するものとして形成しても良い。踏板固定板６５には、この上に載置させた踏板５１をネジ（図示せず）で固定するためのネジ穴６９が形成されている。平行突片６８は、互いの間に隙間をおいて一側方向に平行に突出する一対の片で構成され、これら片を通じて上下２箇所にボルト挿通穴７０が形成されている。なお、最下段の踏板５１ａを支持する踏板支持部材６１ａについては、下段側に踏板支持部材が存在せず、したがって、これと連結する連結部材に対する連結部を必要としないことから、円筒部６７が短く形成されている（図示省略）。
【００４３】
連結部材６２（６２ａ，６２ｂ）は同一構成である。すなわち、図１２に示すように、各連結部材６２は、少なくとも上端側の所定長さ領域（この実施形態では全軸長）に亘る雌ネジ７２を有する円筒部７３と、この円筒部７３から一側方向に突出する垂直板７４とを有して一体に形成されている。円筒部７３は、踏板支持部材６１の円筒部６７の外径と略同一または若干大きい内径を有して円筒部６７を嵌合可能であり、且つ、この嵌合状態において円筒部６７の雄ネジ６６と円筒部７３の雌ネジ７２との螺合を介して、上段側の踏板支持部材６１に連結される。垂直板７４は、上下２段に形成したボルト挿通長穴７５を有しており、垂直板７４を踏板支持部材６１の突片６８の隙間に挿入した状態で、ボルト７６（図９）を突片６８のボルト挿通穴７０および垂直板７４のボルト挿通長穴７５に通して反対側でナット（図示せず）に螺着することにより、下段側の踏板支持部材６１に連結される（図１５）。
【００４４】
連結部材６２は、下段側の踏板を支持する踏板支持部材（たとえば踏板５１ｂを支持する踏板支持部材６１ｂ）と上段側の踏板を支持する踏板支持部材（たとえば踏板５１ｃを支持する踏板支持部材６１ｃ）とを上下方向および前後方向に間隔を調整して連結する。すなわち、既述したように、上段側の踏板支持部材６１ｃの円筒部６７を連結部材６２の円筒部７３に嵌合させた状態において、円筒部６７の雄ネジ６６と円筒部７３の雌ネジ７２との螺合を介して上下方向の間隔調整が可能であり、また、ボルト７６を挿通させる穴の一方（この実施形態では突片６８のボルト挿通穴７０）をボルト７６の軸径に略合致する内径を有する丸穴として形成すると共に、他方（この実施形態では垂直板７４のボルト挿通長穴７５）を横方向に長い長穴として形成することにより、前後方向の間隔調整が可能である。
【００４５】
床面固定部材６３は、最下段踏板５１ａを支持する踏板支持部材６１ａを高さ調整可能に下階の床面１に固定することができるものであれば特に構成が限定されるものではないが、この実施形態では、床面に固定される円盤状の床面固定板７７として形成され、踏板支持部材６１ａの円筒部６７の雄ネジ６６と螺合する雌ネジ７８を有する。そして、床面固定板７７のネジ穴８０から下階の床面１にネジ（図示せず）を打ち込んで床面固定板７７を下階の床面１に固定した後に、円筒部６７の雄ネジ６６を床面固定部材６３の雌ネジ７８に螺合させることにより、最下段踏板支持部材６１ａ（したがってその上に支持される踏板５１ａ）を下階の床面１に対して所定の高さで固定することができる。
【００４６】
壁面固定部材６４は、最上段踏板５１ｃを支持する踏板支持部材６１ｃを前後調整可能に壁面２に固定することができるものであれば特に構成が限定されるものではないが、この実施形態では、壁面に固定される壁面固定板８１と、その一面から突出する垂直板８２とを有して一体に形成されている。垂直板８２は、連結部材６２の垂直板７４と略同一構成であり、上下２段に形成したボルト挿通長穴８３を有しており、垂直板８２を踏板支持部材６１ｃの突片６８の隙間に挿入した状態で、ボルト７６（図９）を突片６８のボルト挿通穴７０および垂直板８２のボルト挿通長穴８３に通して反対側でナット（図示せず）に螺着することにより、最上段踏板支持部材６１ｃに連結される（図１５）。そして、壁面固定板８１のネジ穴８４から壁面２にネジ（図示せず）を打ち込んで壁面固定板８１を壁面２に固定した後に、最上段踏板支持部材６１ｃの突片６８の隙間に壁面固定部材６４の垂直板８２を挿入した状態で、ボルト７６（図９）を突片６８のボルト挿通穴７０および垂直板８２のボルト挿通長穴８３に通して反対側でナット（図示せず）に螺着することにより、最上段踏板支持部材６１ｃを壁面２に固定することができる。
【００４７】
以上に説明した階段構造５０および桁構造６０の施工方法について説明する。床面固定板７７のネジ穴８０から下階の床面１にネジ（図示せず）を打ち込んで床面固定部材６３を下階の床面１に固定した後、最下段踏板支持部材６１ａの円筒部６７の雄ネジ６６を床面固定部材６３の雌ネジ７８に螺合させることにより、最下段踏板支持部材６１ａを高さ調整して固定する。次いで、踏板５１ｂを支持する中段踏板支持部材６１ｂの円筒部６７を連結部材６２ａの円筒部７３に嵌合させて、雄ネジ６６と雌ネジ７２との螺合を介して、これらを高さ調整して連結させておく。そして、その円筒部７３から突出している垂直板７４を、下階の床面１に固定された最下段踏板支持部材６１ａの突片６８の隙間に挿入させた状態で、ボルト７６を突片６８のボルト挿通穴７０および垂直板７４のボルト挿通長穴７５に通して反対側でナット（図示せず）に螺着することにより、ボルト挿通長穴７５の範囲内で前後調整して連結部材６２ａを最下段踏板支持部材６１ａに連結する。この実施形態では、連結部材６２の垂直板７４を各踏板支持部材６１の突片６８の一対の片の間に挟み込んでボルト止めするので、ボルトを締め付けていくとこれら片の間の隙間が閉じていき、雄ネジ６６と雌ネジ７２との螺合に加えて垂直板７４と突片６８との間に密実な挟持状態が得られ、強度の大きい固定構造が得られる。
【００４８】
この作業を階段の段数分繰り返す。そして、最上段踏板支持部材６１ｃを壁面固定部材６４により壁面２に固定する。この作業は、既述したように、壁面固定板８１のネジ穴８４から壁面２にネジ（図示せず）を打ち込んで、上階の床面３との間の高さ調整を行いつつ、壁面固定部材６４を壁面２に固定した後、壁面固定部材６４の垂直板８２を最上段踏板支持部材６１ｃの突片６８の隙間に挿入した状態で、ボルト７６（図９）を突片６８のボルト挿通穴７０および垂直板８２のボルト挿通長穴８３に通して反対側でナット（図示せず）に螺着することにより、前後調整と共に行うことができる。このようにして桁部材６０を施工した後、各踏板支持部材６１に踏板５１を載置固定して、階段構造５０が得られる。
【００４９】
このような階段構造５０および桁構造６０は、実施例１と同様、直階段にも廻り階段にも適用可能である。上段側の踏板支持部材６１と連結部材６２は、踏板支持部材６１の円筒部６７の雄ネジ６６と連結部材６２の円筒部７３の雌ネジ７２との螺合を介して連結されるので、上下に隣接する踏板支持部材６１同士を任意の回転角度で設置することが容易且つ可能であり、図１６に示すような廻り階段に適用する場合も、廻り部における踏板の廻り角度に応じて、上下に隣接する踏板支持部材６１同士を任意の回転角度で設置することが可能且つ容易である。実施例１と同様、廻り階段に適用する際に、廻り部を構成する踏板５１を支持する踏板支持部材６１の踏板固定板６５が該踏板の段鼻（前端面）を超えないようにするために、踏板固定板２５の前端角部には面取りが施されている。
【実施例３】
【００５０】
実施例１では、連結部材２２と上段側の踏板支持部材２１との連結をネジ（尾雄ネジ２６と雌ネジ３２）同士の螺合を介して行っており、既述したように、高さ調整が容易でありながら強固な連結構造が得られ、また、廻り階段への適用も容易であることなどから、一つの好適な連結態様であると考えられるが、必ずしも必須ではなく、雄ネジ２６および雌ネジ３２を省略して実施することも可能である。この場合であっても、既述したように、あらかじめ上段側の踏板支持部材（たとえば踏板支持部材２１ｂ）の円筒部２７をその下方の連結部材２２ａの円筒部３３に所定の高さに挿入した状態に保持しておいた上で、連結部材２２ａから突出する平行突片３４間に、下段側の踏板支持部材２１ａから突出する垂直板２８を挿入して、ボルト挿通穴３５およびボルト挿通長穴３０に通したボルト３６で固定することにより、連結部材の円筒部３３のスリット４５が閉じていって、円筒部２７，３３同士の間に強固な嵌合状態が得られるので、当初の所定の高さを維持して強固に連結させることができる。
【００５１】
以上に本発明について幾つかの実施形態を挙げて詳細に説明したが、本発明はこれら実施形態に限定されるものではなく、特許請求の範囲に規定される発明の範囲内において多種多様に変更ないし変更して実施可能である。たとえば、実施例１では、踏板支持部材２１の円筒部２７の下端に至る所定高さ範囲に雄ネジ２６を形成すると共に、連結部材２２の円筒部３３の全高さ範囲に雌ネジ３２を形成してこれらを螺合させるものとして示されているが、これに限定されるものではない。たとえば、円筒部２７の下端近辺には雄ネジ２６が形成されない領域が残されるようにして該領域をネジ切りされた領域の外径より小さく形成すると共に、円筒部３３の上端近辺には雌ネジ３２が形成されない領域が残されるようにして該領域をネジ切りされた領域の内径より大きく形成することができる。このようにすると、踏板支持部材２１の円筒部２７の下端を連結部材２２の円筒部材３３の上端に差し込んで仮固定した後に、ずれなくなった状態でネジ同士を螺合させて固定することができるので、高さ調整しながらこれらを連結固定する作業を行いやすくなり、一つの好適な実施形態である。
【００５２】
また、踏板支持部材２１の円筒部２７における雄ネジ２６の形成領域は、連結部材２２の円筒部３３における雌ネジ３２の形成領域より短くすると良い。このようにして、雄ネジ２６が雌ネジ３２および円筒部３３で隠蔽される範囲内で、踏板支持部材２１の高さ調整を行うようにすれば、雄ネジ２６が露出することがなく、見栄えを良好に維持することができる。
【００５３】
また、雄ネジ２６と雌ネジ３２の螺合長さは３０〜１２０ｍｍの範囲とすることが好ましい。３０ｍｍ未満であると、踏板支持部材２１と連結部材２２の接合強度が不足して階段を支持することが困難になり、１２０ｍｍを超えると、施工性が悪くなる。この観点から、より好ましい範囲は５０〜１００ｍｍである。
【００５４】
なお、以上に説明したネジ形成領域および螺合長さは、実施例１において床面固定部材２３の円筒部３８に形成される雄ネジ３９と最下段踏板支持部材２１ａの円筒部２７に形成される雌ネジ３１についても同様に適用可能である。また、実施例２において踏板支持部材６１の円筒部６７に形成される雄ネジ６６と連結部材６２の円筒部７３に形成される雌ネジ７２について、また、最下段踏板支持部材６１ａの円筒部６７に形成される雄ネジ６６と床面固定部材６３の床面固定板７７に形成される雌ネジ７８についても、同様に適用可能である。
【００５５】
また、実施例１，２では、踏板支持部材２１，６１の円筒部２７，６７に雄ネジ２６，６６を形成すると共に、連結部材２２，６２の円筒部３３，７３に雌ネジ３２，７２を形成してこれらを螺合させているが、反対に、踏板支持部材２１，６１の円筒部２７，６７に雌ネジを形成すると共に、連結部材２２，６２の円筒部３３，７３に雄ネジ３２，７２を形成してこれらを螺合させる実施形態を採用しても良いことは言うまでもない。
【符号の説明】
【００５６】
１  下階の床面
２  壁面
３  上階の床面
１０  階段構造
１１（１１ａ〜１１ｃ，１１ａ〜１１ｈ）  踏板
２０  桁構造
２１（２１ａ〜２１ｃ，２１ａ〜２１ｈ）  踏板支持部材
２２（２２ａ〜２２ｃ）  連結部材
２３  床面固定部材
２４  壁面固定部材
２５  踏板固定板
２６  雄ネジ
２７  円筒部
２８  垂直板（板状突片）
２９  ネジ穴
３０  ボルト挿通長穴（横長穴として形成される締結部材挿通穴）
３１  雌ネジ
３２  雌ネジ
３３  円筒部
３４  突片（平行突片）
３５  ボルト挿通穴（丸穴として形成される締結部材挿通穴）
３６  ボルト（締結部材）
３７  床面固定板
３８  円筒部
３９  雄ネジ
４０  ネジ穴
４１  壁面固定板
４２  突片
４３  ボルト挿通穴
４４  ネジ穴
４５  スリット
５０  階段構造
５１（５１ａ〜５１ｃ）  踏板
６０  桁構造
６１（６１ａ〜６１ｃ）  踏板支持部材
６２（６２ａ〜６２ｃ）  連結部材
６３  床面固定部材
６４  壁面固定部材
６５  踏板固定板
６６  雄ネジ
６７  円筒部
６８  突片（平行突片）
６９  ネジ穴
７０  ボルト挿通穴（丸穴として形成される締結部材挿通穴）
７２  雌ネジ
７３  円筒部
７４  垂直板（板状突片）
７５  ボルト挿通長穴（横長穴として形成される締結部材挿通穴）
７６  ボルト（締結部材）
７７  床面固定板
７８  雄ネジ
８０  ネジ穴
８１  壁面固定板
８２  垂直板
８３  ボルト挿通長穴
８４  ネジ穴
８５  スリット
【図１】
0006706916.tif 000002
【図２】
0006706916.tif 000003
【図３】
0006706916.tif 000004
【図４】
0006706916.tif 000005
【図５】
0006706916.tif 000006
【図６】
0006706916.tif 000007
【図７】
0006706916.tif 000008
【図８】
0006706916.tif 000009
【図９】
0006706916.tif 000010
【図１０】
0006706916.tif 000011
【図１１】
0006706916.tif 000012
【図１２】
0006706916.tif 000013
【図１３】
0006706916.tif 000014
【図１４】
0006706916.tif 000015
【図１５】
0006706916.tif 000016
【図１６】
0006706916.tif 000017
【図１７】
0006706916.tif 000018